(57)【要約】【課題】増幅器のＩdqドリフトに伴う送信信号の歪を改善する。【解決手段】無線装置１０は、増幅器１５と、ＥＴ部１２と、信号生成部３１と、変動量測定部３３と、補正電圧出力部３５と、結合部３６を有する。増幅器１５は、入力された送信信号を増幅して出力する。ＥＴ部１２は、増幅器１５に入力される送信信号の包絡線成分に基づいて増幅器１５の電源電圧を制御する。信号生成部３１は、増幅器１５が送信信号を増幅していない期間に増幅器１５に入力される所定信号を生成する。変動量測定部３３は、増幅器１５によって所定信号が増幅された後の出力信号に基づいて、増幅器１５のＩdqドリフトに伴う出力信号の変動量を測定する。補正電圧出力部３５および結合部３６は、変動量測定部３３によって測定された変動量に基づいて、ＥＴ部１２によって制御される電源電圧を補正する。【選択図】図１
2017123539.tif 000002
【特許請求の範囲】
【請求項１】
入力された送信信号を増幅する増幅器と、
前記増幅器に入力される前記送信信号の包絡線成分に基づいて前記増幅器の電源電圧を制御する電圧制御部と、
前記増幅器が前記送信信号を増幅していない期間に前記増幅器に入力される所定信号を生成する生成部と、
前記増幅器によって前記所定信号が増幅された後の前記増幅器の出力信号に基づいて、前記増幅器のＩdqドリフトに伴う出力信号の変動量を測定する変動量測定部と、
前記変動量測定部によって測定された前記変動量に基づいて、前記電圧制御部によって制御される前記電源電圧を補正する補正部と
を有することを特徴とする無線装置。
【請求項２】
前記所定信号は、所定電力のインパルス信号であり、
前記変動量測定部は、
前記増幅器が前記送信信号を増幅していない期間において、前記増幅器が前記インパルス信号を増幅する前に前記増幅器から出力された信号の振幅と、前記増幅器が前記インパルス信号を増幅してから所定時間が経過した時点で前記増幅器から出力された信号の振幅との差分を、前記変動量として測定することを特徴とする請求項１に記載の無線装置。
【請求項３】
前記変動量の範囲毎に、前記増幅器に入力される前記送信信号の包絡線成分と第１の補正値とが対応付けられた補正テーブルを記憶する記憶部を有し、
前記補正部は、
前記変動量測定部によって測定された前記変動量が含まれる範囲に対応する前記補正テーブルを前記記憶部内で特定し、特定した前記補正テーブルに基づいて、前記増幅器に入力される前記送信信号の包絡線成分に対応する第１の補正値を特定し、特定した第１の補正値を用いて、前記電圧制御部によって制御される前記電源電圧を補正することを特徴とする請求項１または２に記載の無線装置。
【請求項４】
前記無線装置の運用開始後において、前記補正部が前記補正テーブルを前回特定してから第１の時間が経過した後に、前記増幅器が前記送信信号を増幅していない期間である送信停止期間を特定する特定部を有し、
前記生成部は、前記送信停止期間において、前記所定信号を生成し、
前記変動量測定部は、前記送信停止期間において、前記増幅器によって前記所定信号が増幅された後の前記増幅器の出力信号に基づいて前記変動量を測定し、
前記補正部は、前記送信停止期間において、前記変動量に基づいて前記補正テーブルを特定することを特徴とする請求項３に記載の無線装置。
【請求項５】
前記補正部は、
前記補正テーブルを前回特定してから前記第１の時間よりも長い第２の時間、前記特定部によって前記送信停止期間が特定されなかった場合、前記増幅器に入力される前記送信信号の包絡線成分が所定の閾値以上となったか否かを判定し、前記包絡線成分が所定の閾値以上となった場合に、前記電圧制御部によって制御される前記電源電圧を、第２の補正値を用いてさらに補正することを特徴とする請求項４に記載の無線装置。
【請求項６】
前記第２の補正値は、前記包絡線成分と前記閾値との差に応じた値であることを特徴とする請求項５に記載の無線装置。
【請求項７】
前記送信信号が前記増幅器によって増幅された信号において、前記送信信号の周波数帯域外の漏洩電力を測定する漏洩電力測定部と、
前記漏洩電力測定部によって測定された前記漏洩電力が所定値以上である場合、前記生成部、前記変動量測定部、および前記補正部を動作させ、前記漏洩電力測定部によって測定された前記漏洩電力が所定値未満である場合、前記生成部、前記変動量測定部、および前記補正部を停止させる制御部と
を有することを特徴とする請求項１から６のいずれか一項に記載の無線装置。
【発明の詳細な説明】
【技術分野】
【０００１】
本発明は、無線装置に関する。
【背景技術】
【０００２】
無線装置には、送信信号を増幅する増幅器が設けられる。増幅器としては、近年、効率の高いＧａＮ（窒化ガリウム）デバイスが用いられる場合がある。ＧａＮデバイスでは、大電力の信号が出力された場合、信号の入力がない場合にドレインに流れるアイドル電流Ｉdqが変動するＩdqドリフトと呼ばれる現象が生じることが知られている。Ｉdqドリフトが発生すると、増幅器のゲインが変動し、増幅器の入出力特性が変化する。その結果、増幅器から出力された信号に含まれる歪が増大する。
【０００３】
このようなＩdqドリフトを抑制するために、例えば、送信信号が増幅されたときの増幅器のドレイン電流を測定し、測定されたドレイン電流の値をフィードバックする技術が知られている。このような技術では、フィードバックされたドレイン電流の値に基づいて、増幅器のゲート電圧を制御することで、増幅器のゲインの変動が抑制される。
【先行技術文献】
【特許文献】
【０００４】
【特許文献１】特開２０１３−２４７５０１号公報
【特許文献２】特開２０１３−００９２００号公報
【特許文献３】特開２０１０−０４５５０８号公報
【発明の概要】
【発明が解決しようとする課題】
【０００５】
ところで、従来の技術では、増幅器においてＩdqドリフトが発生している場合、ゲート電圧が制御される前に増幅器で増幅された信号については、Ｉdqドリフトに起因する歪を含む信号となる。そのため、Ｉdqドリフトが発生した直後に送信された信号の品質は大きく劣化することになる。また、増幅器の温度が低い場合の方が、増幅器の温度が高い場合よりも、Ｉdqドリフトが大きくなる傾向がある。そのため、寒冷地に設置された基地局装置のように、低温状態で送信を開始するような状況では、送信開始直後に送信された信号の品質が著しく劣化することになる。
【０００６】
開示の技術は、上記に鑑みてなされたものであって、増幅器のＩdqドリフトに伴う送信信号の歪を改善することを目的とする。
【課題を解決するための手段】
【０００７】
開示の態様では、無線装置は、増幅器と、電圧制御部と、生成部と、変動量測定部と、補正部とを有する。増幅器は、入力された送信信号を増幅して出力する。電圧制御部は、増幅器に入力される送信信号の包絡線成分に基づいて増幅器の電源電圧を制御する。生成部は、増幅器から送信信号が出力されていない期間に増幅器に入力される所定信号を生成する。変動量測定部は、増幅器によって所定信号が増幅された出力信号に基づいて、増幅器のＩdqドリフトに伴う出力信号の変動量を測定する。補正部は、変動量測定部によって測定された変動量に基づいて、電圧制御部によって制御される電源電圧を補正する。
【発明の効果】
【０００８】
開示の態様によれば、増幅器のＩdqドリフトに伴う送信信号の歪を改善することができる。
【図面の簡単な説明】
【０００９】
【図１】図１は、実施例１における無線装置の一例を示すブロック図である。
【図２】図２は、Ｉdqドリフトを説明する図である。
【図３】図３は、Ｉdqドリフトに伴う増幅器の出力信号の変化を説明する図である。
【図４】図４は、記憶部に記憶される第１のテーブルの一例を示す図である。
【図５】図５は、記憶部に記憶される第２のテーブルの一例を示す図である。
【図６】図６は、補正テーブルの特定タイミングの一例を説明する図である。
【図７】図７は、第２の補正値の適用タイミングの一例を説明する図である。
【図８】図８は、Ｉdqドリフトがない場合の増幅器のゲイン特性の一例を示す図である。
【図９】図９は、Ｉdqドリフトが発生している場合の増幅器のゲイン特性の一例を示す図である。
【図１０】図１０は、増幅器の電源電圧の一例を示す図である。
【図１１】図１１は、Ｉdqドリフトが発生している増幅器において電源電圧が補正された場合の増幅器のゲイン特性の一例を示す図である。
【図１２】図１２は、運用開始前における無線装置の動作の一例を示すフローチャートである。
【図１３】図１３は、運用開始後における実施例１の無線装置の動作の一例を示すフローチャートである。
【図１４】図１４は、実施例２における無線装置の一例を示すブロック図である。
【図１５】図１５は、漏洩電力測定部によって測定される帯域外の漏洩電力の一例を説明する図である。
【図１６】図１６は、運用開始後における実施例２の無線装置の動作の一例を示すフローチャートである。
【図１７】図１７は、無線装置のハードウェアの一例を示す図である。
【発明を実施するための形態】
【００１０】
以下に、本願が開示する無線装置の実施例を図面に基づいて説明する。なお、以下に示す実施例により本願が開示する無線装置が限定されるものではない。また、以下に示す各実施例は、適宜組み合わせて実施してもよいことはいうまでもない。
【実施例１】
【００１１】
＜無線装置１０＞
図１は、実施例１における無線装置１０の一例を示すブロック図である。無線装置１０は、ＥＮＶ（ENVelope）生成部１１、ＥＴ（Envelope  Tracking）部１２、ＤＡＣ（Digital  to  Analog  Converter）１３、アップコンバータ１４、増幅器１５、カプラ１６、アンテナ１７、および発振器１８を有する。また、無線装置１０は、ダウンコンバータ１９、ＡＤＣ（Analog  to  Digital  Converter）２０、補正処理部３０、および歪補償部４０を有する。
【００１２】
ＥＮＶ生成部１１は、歪補償部４０によって歪補償の処理が施された送信信号の電力の包絡線を示すエンベロープ信号を生成する。そして、ＥＮＶ生成部１１は、生成したエンベロープ信号を補正処理部３０およびＥＴ部１２へ出力する。
【００１３】
ＥＴ部１２は、ＥＮＶ生成部１１から出力されたエンベロープ信号に基づいて、増幅器１５の電源電圧を制御する。そして、ＥＴ部１２は、制御された電源電圧を、補正処理部３０へ出力する。ＥＴ部１２は、電圧制御部の一例である。
【００１４】
ＤＡＣ１３は、歪補償部４０によって歪補償の処理が施された送信信号を、デジタル信号からアナログ信号に変換する。そして、ＤＡＣ１３は、変換後の送信信号をアップコンバータ１４へ出力する。
【００１５】
アップコンバータ１４は、アナログ信号に変換された送信信号を、発振器１８から出力された局発信号を用いてアップコンバートする。アップコンバータ１４には、直交変調器やミキサ等が含まれる。アップコンバータ１４は、アップコンバート後の送信信号を増幅器１５へ出力する。
【００１６】
増幅器１５は、補正処理部３０から供給された電源電圧で動作し、アップコンバータ１４によってアップコンバートされた送信信号の電力を増幅する。そして、増幅器１５は、増幅後の送信信号をカプラ１６へ出力する。本実施例において、増幅器１５は、例えばＧａＮ等の窒化物半導体素子である。増幅器１５では、大電力の送信信号が入力された場合、Ｉdqドリフトが発生する。なお、増幅器１５の出力段には、例えば、送信信号の周波数成分のうち、送信信号の帯域として予め定められた周波数帯域の成分を通過させるフィルタ（図示せず）が設けられている。
【００１７】
カプラ１６は、増幅器１５によって増幅された送信信号をアンテナ１７へ出力すると共に、その一部をダウンコンバータ１９へフィードバックする。アンテナ１７へ出力された信号は、アンテナ１７から空間に放射される。
【００１８】
ダウンコンバータ１９は、カプラ１６からフィードバックされた送信信号を、発振器１８から出力された局発信号を用いてダウンコンバートする。ダウンコンバータ１９には、直交復調器やミキサ等が含まれる。ダウンコンバータ１９は、ダウンコンバート後の送信信号をＡＤＣ２０へ出力する。
【００１９】
ＡＤＣ２０は、ダウンコンバート後の送信信号をアナログ信号からデジタル信号に変換する。そして、ＡＤＣ２０は、デジタル信号に変換した送信信号を歪補償部４０へ出力する。
【００２０】
歪補償部４０は、乗算器４１、アドレス生成部４２、ＬＵＴ（Look  Up  Table）４３、更新部４４、遅延部４５、減算器４６、および遅延部４７を有する。
【００２１】
アドレス生成部４２は、歪補償部４０に入力された送信信号の振幅または電力に基づいて、アドレス情報を生成する。そして、アドレス生成部４２は、生成したアドレス情報をＬＵＴ４３へ出力する。送信信号は、例えば、同相成分信号(Ｉ信号：In-Phase  component)と直交成分信号(Ｑ信号：Quadrature  component)とを含むデジタルのベースバンド信号である。
【００２２】
ＬＵＴ４３は、アドレス情報に対応付けられた歪補償係数を保持する。ＬＵＴ４３は、アドレス生成部４２から出力されたアドレス情報に対応する歪補償係数を特定する。そして、ＬＵＴ４３は、特定した歪補償係数を乗算器４１および更新部４４へ出力する。
【００２３】
乗算器４１は、無線装置１０が送信信号を送信している期間（以下、「送信期間」と呼ぶことがある）において、送信信号と、ＬＵＴ４３から出力された歪補償係数とを乗算する。そして、乗算器４１は、歪補償係数が乗算された送信信号をＤＡＣ１３へ出力する。また、乗算器４１は、無線装置１０が送信信号を送信していない期間（以下、「送信停止期間」と呼ぶことがある）において、補正処理部３０から出力された所定信号をＤＡＣ１３へ出力する。本実施例において、所定信号はインパルス信号である。なお、送信停止期間では、乗算器４１は、送信信号ではなく、補正処理部３０から出力された所定信号をＤＡＣ１３へ出力する。そのため、送信停止期間では、増幅器１５は送信信号を増幅しない。
【００２４】
遅延部４５は、歪補償部４０に入力された送信信号のタイミングと、ＡＤＣ２０を介してフィードバックされた送信信号のタイミングとが減算器４６において一致するように、歪補償部４０に入力された送信信号の遅延時間を調整する。
【００２５】
遅延部４７は、歪補償部４０に入力された送信信号のタイミングと、ＡＤＣ２０を介してフィードバックされた送信信号のタイミングとが減算器４６において一致するように、ＡＤＣ２０を介してフィードバックされた送信信号の遅延時間を調整する。
【００２６】
減算器４６は、遅延部４５から出力された信号と、遅延部４７から出力された信号とを用いて、歪補償部４０に入力された送信信号と、ＡＤＣ２０から出力された信号との差分を算出する。
【００２７】
更新部４４は、ＬＵＴ４３が出力した歪補償係数と、減算器４６によって算出された差分の信号とに基づいて、更新後の歪補償係数を算出する。更新部４４は、例えばＬＭＳ（Least  Mean  Square）やＲＬＳ（Recursive  Least  Squares）等のアルゴリズムを用いて、更新後の歪補償係数を算出する。そして、更新部４４は、算出した歪補償係数で、ＬＵＴ４３内の歪補償係数を更新する。
【００２８】
補正処理部３０は、信号生成部３１、特定部３２、変動量測定部３３、記憶部３４、補正電圧出力部３５、および結合部３６を有する。
【００２９】
特定部３２は、無線装置１０の運用開始前に、信号生成部３１、変動量測定部３３、および補正電圧出力部３５に、補正処理の実行を指示する。無線装置１０の運用開始前では、無線装置１０は送信信号を送信しないため、運用開始前の期間も送信停止期間に含まれる。特定部３２は、例えば、無線装置１０の運用開始前に、無線装置１０の管理者等からの指示に応じて、信号生成部３１、変動量測定部３３、および補正電圧出力部３５に、補正処理の実行を指示する。また、特定部３２は、無線装置１０の運用開始後において、ＡＤＣ２０からの出力に基づいて、送信停止期間を特定する。そして、特定部３２は、送信停止期間を特定した場合、信号生成部３１、変動量測定部３３、および補正電圧出力部３５に、補正処理の実行を指示する。
【００３０】
信号生成部３１は、特定部３２から補正処理の実行を指示された場合、所定の電力を有する所定信号を生成し、生成した所定信号を乗算器４１へ出力する。信号生成部３１は、生成部の一例である。所定信号の電力は、送信信号の平均電力よりも大きいことが好ましい。これにより、後述する変動量測定部３３は、Ｉdqドリフトによる増幅器１５の出力信号の変化を精度よく測定することができる。
【００３１】
本実施例において、所定信号は、例えば所定の電力を有するインパルス信号である。インパルス信号は、広帯域の周波数成分を有するが、送信信号の周波数帯域に含まれる周波数成分の電力は小さい。そのため、送信停止期間において信号生成部３１によって生成されたインパルス信号に含まれる一部の周波数成分は増幅器１５によって増幅されてアンテナ１７から放射される場合があっても、該周波数線分の信号が他の無線装置の通信に与える影響は少ない。
【００３２】
なお、信号生成部３１は、インパルス信号ではなく、所定帯域の周波数成分を有する信号を、送信停止期間において生成してもよい。ただし、その場合、生成された信号において、送信信号の周波数帯域内の周波数成分の電力は、送信信号の周波数帯域外の周波数成分の電力よりも低いことが好ましい。これにより、信号生成部３１によって生成された信号の周波数成分のうち、送信信号の周波数帯域外の周波数成分は、増幅器１５の出力段に設けられたフィルタにより除去される。そのため、信号生成部３１によって生成された信号により他の無線装置の通信に与える影響を少なくすることができる。
【００３３】
変動量測定部３３は、特定部３２から補正処理の実行を指示された場合、ＡＤＣ２０から出力された信号に基づいて、Ｉdqドリフトに伴う増幅器１５の出力信号の変動量を測定する。ここで、図２および図３を用いて、変動量測定部３３によって測定される変動量について説明する。図２は、Ｉdqドリフトを説明する図である。図３は、Ｉdqドリフトに伴う増幅器１５の出力信号の変化を説明する図である。
【００３４】
増幅器１５に信号が入力されていない場合、増幅器１５のドレインには、例えば図２に示すようにアイドル電流Ｉdqが流れる。そして、時刻ｔ0において増幅器１５に大電力の信号が入力されると、増幅器１５のドレインには、所定の電流が流れる。そして、増幅器１５に入力される信号がなくなった時刻ｔ1において、増幅器１５のドレインに流れるアイドル電流は、曲線５０〜５２に示すように、Ｉdqよりも低い値となる。そして、増幅器１５のドレインに流れるアイドル電流は、例えば曲線５０〜５２に示すように、時間の経過と共に徐々に増加し、やがてＩdqに戻る。
【００３５】
大電力の信号が入力された後の増幅器１５のアイドル電流Ｉdqの変動量は、増幅器１５毎にバラツキがある。また、アイドル電流Ｉdqの変動量は、増幅器１５の温度等の外的要因によっても変化する。そのため、増幅器１５に入力される信号がなくなった時刻ｔ1から所定時間Δｔが経過した時刻ｔ2におけるアイドル電流Ｉdqの変動量ΔＩdqは、例えば図２に示すように、個体差や温度等によってばらつく。
【００３６】
信号生成部３１は、送信停止期間において、インパルス信号を生成する。信号生成部３１によって生成されたインパルス信号は、ＤＡＣ１３およびアップコンバータ１４を介して増幅器１５に入力される。そして、増幅器１５によってインパルス信号が増幅された信号である出力信号は、カプラ１６およびダウンコンバータ１９を介してＡＤＣ２０から出力される。ＡＤＣ２０から出力された、インパルス信号に対応する出力信号の振幅の変化は、例えば図３のようになる。なお、以下では、ＡＤＣ２０から出力された信号を、増幅器１５から出力された信号として説明する。
【００３７】
例えば図３に示すように、増幅器１５に信号が入力されていない場合、増幅器１５からは振幅Ａ0の信号が出力される。そして、時刻ｔ0において増幅器１５にインパルス信号が入力されると、増幅器１５のドレインに流れた電流に応じて、所定の振幅のパルス状の出力信号が出力される。そして、インパルス信号がなくなった時刻ｔ1において、増幅器１５からは、例えば曲線５３〜５５に示すように、振幅Ａ0よりも低い振幅の信号が出力される。そして、増幅器１５から出力された信号の振幅は、例えば曲線５３〜５５に示すように、時間の経過と共に徐々に増加し、やがて振幅Ａ0に戻る。
【００３８】
インパルス信号が入力された後の増幅器１５の出力信号の振幅は、増幅器１５のアイドル電流Ｉdqの変動量ΔＩdqに応じて変動する。そこで、本実施例の変動量測定部３３は、例えば図３に示すように、インパルス信号がなくなった時刻ｔ1から所定時間Δｔが経過した時刻ｔ2において増幅器１５から出力されている信号の振幅を測定する。そして、変動量測定部３３は、時刻ｔ2において測定した信号の振幅と、インパルス信号が入力される前の出力信号の振幅Ａ0との差分ΔＡを、変動量として測定する。そして、変動量測定部３３は、測定した変動量を補正電圧出力部３５へ出力する。
【００３９】
記憶部３４は、第１のテーブルおよび第２のテーブルを記憶する。図４は、記憶部３４に記憶される第１のテーブル３４０の一例を示す図である。第１のテーブル３４０には、増幅器１５からの出力信号の振幅の差分ΔＡである変動量の範囲３４１毎に、補正テーブル３４２が格納されている。それぞれの補正テーブル３４２には、増幅器１５に入力される送信信号の電力の範囲３４３に対応付けて、第１の補正値３４４が格納されている。なお、図４に例示した第１のテーブル３４０では、所定の閾値ΔＡ1未満の差分ΔＡについては、補正テーブル３４２が格納されていない。そのため、後述する補正電圧出力部３５は、出力信号の振幅の差分ΔＡが所定の閾値ΔＡ1未満の場合、即ち、Ｉdqドリフトが発生していない場合には、ＥＴ部１２から出力された電源電圧の補正を行わない。
【００４０】
図５は、記憶部３４に記憶される第２のテーブル３４５の一例を示す図である。第２のテーブル３４５には、増幅器１５に入力される送信信号の電力の範囲３４６に対応付けて、第２の補正値３４７が格納されている。図５に例示された第２のテーブル３４５では、所定の閾値Ｐth1以上である入力電力Ｐinに対して、いずれかの第２の補正値ΔＶd2-1〜ΔＶd2-3が対応付けられている。そして、入力電力Ｐinには、閾値Ｐth1と入力電力Ｐinとの差が大きいほど、大きな値の第２の補正値が対応付けられている。
【００４１】
補正電圧出力部３５は、無線装置１０の運用開始前において、特定部３２から補正処理の実行を指示された場合、変動量測定部３３から変動量が出力されたか否かを判定する。変動量測定部３３から変動量が出力された場合、補正電圧出力部３５は、記憶部３４内の第１のテーブル３４０を参照して、変動量測定部３３から出力された変動量が含まれる変動量の範囲を特定する。そして、補正電圧出力部３５は、特定した変動量の範囲に対応付けられている補正テーブルを特定する。
【００４２】
そして、補正電圧出力部３５は、送信信号の送信期間において、ＥＮＶ生成部１１から出力されたエンベロープ信号に基づいて、増幅器１５に入力される送信信号の電力（以下、「入力電力」と呼ぶ）を逐次特定する。そして、補正電圧出力部３５は、補正テーブルを参照して、入力電力が含まれる電力の範囲に対応付けられている第１の補正値を特定する。そして、補正電圧出力部３５は、特定した第１の補正値に対応する補正電圧を結合部３６へ出力する。
【００４３】
また、補正電圧出力部３５は、無線装置１０の運用開始後において、補正テーブルを前回特定してから第１の時間が経過した後に、補正テーブルを前回特定してから第２の時間が経過するまでの間に特定部３２から補正処理の実行を指示されたか否かを判定する。なお、第２の時間は、第１の時間よりも長い。第２の時間が経過するまでの間に特定部３２から補正処理の実行が指示された場合、補正電圧出力部３５は、記憶部３４内の第１のテーブルを参照して、変動量測定部３３によって測定された変動量に基づいて補正テーブルを特定する処理を再度実行する。
【００４４】
図６は、補正テーブルの特定タイミングの一例を示す図である。図６において、符号５９は、入力電力の包絡線を示す。例えば図６に示すように、補正テーブルが前回特定された時刻ｔ0から第１の時間Δｔ1が経過した時刻ｔ1から、時刻ｔ0から第２の時間Δｔ2が経過する時刻ｔ2までの間に、送信停止期間Δｔaが発生した場合を考える。この場合、特定部３２は、信号生成部３１、変動量測定部３３、および補正電圧出力部３５に補正処理の実行を指示する。これにより、送信停止期間Δｔaにおいて、信号生成部３１はインパルス信号を生成し、変動量測定部３３は増幅器１５の出力信号の変動量を測定する。そして、補正電圧出力部３５は、送信停止期間Δｔaにおいて、変動量測定部３３によって測定された変動量に基づいて補正テーブルを特定する処理を再度実行する。
【００４５】
一方、時刻ｔ2までの間に送信停止期間Δｔaが発生しなかった場合、特定部３２は、時刻ｔ2までの間に、信号生成部３１、変動量測定部３３、および補正電圧出力部３５に補正処理の実行を指示しない。時刻ｔ2までの間に特定部３２から補正処理の実行が指示されなかった場合、補正電圧出力部３５は、ＥＮＶ生成部１１から出力されたエンベロープ信号に基づいて逐次特定した入力電力が所定の閾値以上であるか否かを判定する。入力電力が所定の閾値以上である場合、補正電圧出力部３５は、記憶部３４内の第２のテーブルを参照して、入力電力が含まれる電力の範囲に対応付けられている第２の補正値を特定する。なお、補正電圧出力部３５は、第２の補正値の特定処理と並行して、入力電力に対応する第１の補正値を補正テーブル内で特定する処理を実行している。
【００４６】
そして、補正電圧出力部３５は、第２の補正値に基づいて第１の補正値を補正し、補正後の値に対応する補正電圧を結合部３６へ出力する。補正電圧出力部３５は、例えば、第２の補正値を第１の補正値に加えることにより、第２の補正値に基づいて第１の補正値を補正する。
【００４７】
そして、補正電圧出力部３５は、第２の補正値に基づいて第１の補正値を補正してから第３の時間が経過するまでの間に、特定部３２から補正処理の実行を指示されたか否かを判定する。第２の補正値に基づいて第１の補正値を補正してから第３の時間が経過するまでの間に、特定部３２から補正処理の実行を指示された場合、補正電圧出力部３５は、第２の補正値に基づく第１の補正値に対する補正を解除する。そして、補正電圧出力部３５は、入力電力に対応する第１の補正値を補正テーブル内で特定する処理を再び実行する。
【００４８】
一方、第２の補正値に基づいて第１の補正値を補正してから第３の時間が経過するまでの間に、特定部３２から補正処理の実行を指示されなかった場合、補正電圧出力部３５は、第２の補正値に基づく第１の補正値に対する補正を解除する。そして、補正電圧出力部３５は、入力電力に対応する第２の補正値を第２のテーブル内で特定する処理を再び実行する。
【００４９】
図７は、第２の補正値の適用タイミングの一例を示す図である。図７において、符号５９は、入力電力の包絡線を示す。例えば図７に示すように、補正テーブルが前回特定された時刻から第２の時間が経過した時刻ｔ2の後に、入力電力が所定の閾値Ｐth1以上となった場合、補正電圧出力部３５は、記憶部３４内の第２のテーブルを参照して入力電力に対応する第２の補正値を特定する。図７の例では、時刻ｔ3における入力電力が閾値Ｐth2以上かつ閾値Ｐth3未満の範囲内の電力であるため、補正電圧出力部３５は、この範囲に対応付けられている第２の補正値を第２のテーブル内で特定する。なお、第２のテーブルには、閾値Ｐth1との差に応じた大きさの第２の補正値が格納されている。そのため、時刻ｔ3において特定される第２の補正値は、時刻ｔ3における入力電力と所定の閾値Ｐth1との差に応じた値となる。即ち、時刻ｔ3における入力電力と所定の閾値Ｐth1との差が大きいほど、時刻ｔ3において特定される第２の補正値は大きな値となり、時刻ｔ3における入力電力と所定の閾値Ｐth1との差が小さい場合、時刻ｔ3において特定される第２の補正値は小さい値となる。
【００５０】
そして、補正電圧出力部３５は、特定した第２の補正値に基づいて第１の補正値を補正し、補正後の値に対応する補正電圧を結合部３６へ出力する。そして、時刻ｔ3から第３の時間Δｔ3が経過した時刻ｔ4までの間に、特定部３２から補正処理の実行を指示されなかった場合、補正電圧出力部３５は、第２の補正値に基づく第１の補正値に対する補正を解除する。そして、補正電圧出力部３５は、入力電力に対応する第２の補正値を第２のテーブル内で特定する処理を再び実行する。一方、時刻ｔ3から時刻ｔ4までの間に、特定部３２から補正処理の実行を指示された場合、補正電圧出力部３５は、第２の補正値に基づく第１の補正値に対する補正を解除し、入力電力に対応する補正テーブルを特定する処理を再び実行する。
【００５１】
結合部３６は、ＥＴ部１２から出力された電源電圧に、補正電圧出力部３５から出力された補正電圧を加算して増幅器１５の電源端子に供給する。補正電圧出力部３５および結合部３６は、補正部の一例である。
【００５２】
ここで、Ｉdqドリフトが発生していない場合の増幅器１５では、例えば図８に示すようなゲイン特性となる。図８は、Ｉdqドリフトがない場合の増幅器１５のゲイン特性の一例を示す図である。なお、以下に示す図８、図９、および図１１において、縦軸は、増幅器１５のゲインを示しており、Ｇ０＜Ｇ１＜Ｇ２＜Ｇ３＜Ｇ４である。また、以下に示す図８、図９、および図１１において、横軸は、増幅器１５から出力される送信信号の電力Ｐoutを示しており、Ｐ０＜Ｐ１＜・・・＜Ｐ１０である。また、以下に示す図８、図９、および図１１では、Ｖ１〜Ｖ４の４通りのＶdについてのゲイン特性が示されており、Ｖ１＜Ｖ２＜Ｖ３＜Ｖ４である。例えば図８に示すように、増幅器１５に供給される電源電圧Ｖdが高いほど、増幅器１５のゲインは高くなる。また、所定のゲインおよび線形性が得られる範囲で電源電圧が低く設定された方が、増幅器１５の効率は高くなる。そのため、ＥＴ部１２は、増幅器１５に入力される送信信号の電力の包絡線を示すエンベロープ信号に基づいて、増幅器１５のゲインおよび線形性が所定範囲に保たれるように、増幅器１５の電源電圧を制御する。これにより、増幅器１５のゲインは、例えば曲線６０に示すように、ほぼ一定に保たれる。
【００５３】
これに対し、Ｉdqドリフトが発生している場合の増幅器１５では、例えば図９に示すようなゲイン特性となる。図９は、Ｉdqドリフトが発生している場合の増幅器１５のゲイン特性の一例を示す図である。Ｉdqドリフトが発生している場合の増幅器１５では、例えば図９に示すように、増幅器１５から出力される送信信号の電力Ｐoutが低いほど、増幅器１５のゲインが低くなる。ＥＴ部１２が、Ｉdqドリフトが発生していない状態の増幅器１５に対する電源電圧の制御と同一の制御を、Ｉdqドリフトが発生している状態の増幅器１５に対して実行すると、増幅器１５のゲインは例えば曲線６１に示すように変動する。増幅器１５のゲインが変動すると、増幅器１５の入出力特性が変化し、結果として増幅器１５によって増幅された信号に含まれる歪が増大する。
【００５４】
そこで、本実施例の補正電圧出力部３５は、Ｉdqドリフトの大きさに応じて、ＥＴ部１２が制御している増幅器１５の電源電圧を補正する。図１０は、増幅器１５の電源電圧の一例を示す図である。図１０の縦軸は、増幅器１５の電源電圧Ｖdを示しており、Ｖ０＜Ｖ１＜・・・＜Ｖ６である。図１０の横軸は、増幅器１５から出力される送信信号の電力Ｐoutを示しており、Ｐ０＜Ｐ１＜・・・＜Ｐ１０である。Ｉdqドリフトが発生していない場合、補正電圧出力部３５は、第１の補正値を出力しない。そのため、ＥＴ部１２から出力された電源電圧は、増幅器１５の電源端子に供給される。Ｉdqドリフトが発生していない場合に、増幅器１５の電源端子に供給される電源電圧Ｖdは、増幅器１５の出力電力Ｐoutに対して、例えば曲線７０のように変化する。
【００５５】
また、Ｉdqドリフトが発生している場合、補正電圧出力部３５は、変動量測定部３３によって測定された変動量に対応する補正テーブルを特定する。そして、補正電圧出力部３５は、増幅器１５に入力される送信信号の電力に対応する第１の補正値を特定し、特定した第１の補正値に対応する補正電圧を出力する。変動量測定部３３によって測定された変動量が大きいほど、変動量に対応する補正電圧は大きくなる。ＥＴ部１２から出力された電源電圧は、結合部３６によって、補正電圧出力部３５から出力された補正電圧が加算されて増幅器１５の電源端子に供給される。これにより、増幅器１５の電源端子に供給される電源電圧Ｖdは、変動量測定部３３によって測定された変動量の大きさに応じて、例えば曲線７１〜７３に示すような変化となるように制御される。
【００５６】
Ｉdqドリフトが発生している場合、増幅器１５の電源端子に供給される電源電圧Ｖdは、例えば図１０の曲線７１〜７３に示すように、増幅器１５の出力電力Ｐoutが低いほど高くなるように制御される。図１０に示した例では、Ｉdqドリフトが大きい場合、例えば曲線７１に示すように補正電圧出力部３５から出力される補正電圧は大きくなり、Ｉdqドリフトが小さい場合、例えば曲線７３に示すように、補正電圧出力部３５から出力される補正電圧は小さくなる。
【００５７】
これにより、増幅器１５の出力電力Ｐoutが低いほど、増幅器１５のゲインが高くなるように制御される。従って、Ｉdqドリフトが発生している増幅器１５において、電源電圧が補正された場合の増幅器１５を図示すると、例えば図１１のようになる。図１１は、Ｉdqドリフトが発生している増幅器１５において電源電圧が補正された場合の増幅器１５のゲイン特性の一例を示す図である。補正電圧出力部３５から出力された補正電圧によって増幅器１５の電源電圧が補正されることにより、増幅器１５のゲインは、例えば図１１の曲線６２に示すように、増幅器１５の出力電力Ｐoutが低い領域において上昇する。これにより、Ｉdqドリフトが発生している場合の増幅器１５のゲインの変動が抑制され、増幅器１５の入出力特性が改善する。そのため、結果として増幅器１５によって増幅された信号に含まれる歪が減少し、増幅器１５のＩdqドリフトに伴う送信信号の歪を改善することができる。
【００５８】
＜運用開始前の無線装置１０の動作＞
図１２は、運用開始前における無線装置１０の動作の一例を示すフローチャートである。無線装置１０は、無線装置１０の運用開始前に、例えば無線装置１０の管理者等から補正処理の実行を指示された場合に、本フローチャートに示す動作を開始する。なお、運用開始前とは、例えば、無線装置１０の起動時や、メンテナンス等により無線装置１０の運用が一時停止されている期間等である。
【００５９】
まず、特定部３２は、信号生成部３１、変動量測定部３３、および補正電圧出力部３５に、補正処理の実行を指示する。信号生成部３１は、特定部３２からの指示に応じて、インパルス信号を生成し、生成したインパルス信号を乗算器４１へ出力する（Ｓ１００）。信号生成部３１によって生成されたインパルス信号は、ＤＡＣ１３およびアップコンバータ１４を介して増幅器１５に入力される。そして、増幅器１５によってインパルス信号が増幅された信号は、カプラ１６およびダウンコンバータ１９を介してＡＤＣ２０から出力される。
【００６０】
変動量測定部３３は、ＡＤＣ２０から出力された信号を参照して、増幅器１５がインパルス信号を増幅したタイミングの前後における増幅器１５の出力信号の振幅の差分を、Ｉdqドリフトに伴う出力信号の変動量として測定する（Ｓ１０１）。そして、変動量測定部３３は、測定した変動量を、補正電圧出力部３５へ出力する。
【００６１】
次に、補正電圧出力部３５は、記憶部３４内の第１のテーブルを参照して、変動量測定部３３から出力された変動量が含まれる変動量の範囲を特定する。そして、補正電圧出力部３５は、第１のテーブルを参照して、特定した変動量の範囲に対応付けられている補正テーブルを特定する（Ｓ１０２）。そして、補正電圧出力部３５は、特定した補正テーブルを用いて、増幅器１５の電源電圧を補正する補正動作を開始する（Ｓ１０３）。具体的には、補正電圧出力部３５は、補正テーブルと、ＥＮＶ生成部１１から出力されたエンベロープ信号とに基づいて、第１の補正値を特定し、特定した第１の補正値に対応する補正電圧を出力する。結合部３６は、補正電圧出力部３５から出力された補正電圧に基づいて、ＥＴ部１２によって制御された電源電圧を補正し、補正後の電源電圧を、増幅器１５の電源端子に供給する。
【００６２】
このように、無線装置１０は、運用開始前に、増幅器１５の電源電圧の補正を開始する。これにより、運用開始直後から、増幅器１５のＩdqドリフトに伴う送信信号の歪を改善することができる。
【００６３】
＜運用中の無線装置１０の動作＞
図１３は、運用開始後における実施例１の無線装置１０の動作の一例を示すフローチャートである。無線装置１０は、例えば送信動作を開始することにより、本フローチャートに示す動作を開始する。
【００６４】
まず、補正電圧出力部３５は、補正テーブルを前回特定してから第１の時間が経過したか否かを判定する（Ｓ２００）。第１の時間が経過していない場合（Ｓ２００：Ｎｏ）、補正電圧出力部３５は、再びステップＳ２００に示した処理を実行する。第１の時間が経過した場合（Ｓ２００：Ｙｅｓ）、特定部３２は、送信停止期間が発生したか否かを判定する（Ｓ２０１）。
【００６５】
送信停止期間が発生した場合（Ｓ２０１：Ｙｅｓ）、特定部３２は、補正処理の実行を信号生成部３１、変動量測定部３３、および補正電圧出力部３５に指示する。信号生成部３１、変動量測定部３３、および補正電圧出力部３５は、補正テーブル特定処理を実行し（Ｓ２１０）、補正電圧出力部３５は、再びステップＳ２００に示した処理を実行する。
【００６６】
ステップＳ２１０における補正テーブル特定処理では、信号生成部３１は、特定部３２からの指示に応じて、インパルス信号を生成し、生成したインパルス信号を乗算器４１へ出力する。そして、変動量測定部３３は、ＡＤＣ２０から出力された信号に基づいて、Ｉdqドリフトに伴う増幅器１５の出力信号の変動量を測定する。そして、補正電圧出力部３５は、記憶部３４内の第１のテーブルを参照して、変動量測定部３３によって測定された変動量に対応する補正テーブルを特定する。そして、補正電圧出力部３５は、特定した補正テーブルと、ＥＮＶ生成部１１から出力されたエンベロープ信号とに基づいて、第１の補正値を特定し、特定した第１の補正値に対応する補正電圧により、増幅器１５の電源電圧を補正する補正動作を継続する。
【００６７】
送信停止期間が発生していない場合（Ｓ２０１：Ｎｏ）、補正電圧出力部３５は、補正テーブルを前回特定してから第２の時間が経過したか否かを判定する（Ｓ２０２）。第２の時間が経過していない場合（Ｓ２０２：Ｎｏ）、特定部３２は、再びステップＳ２０１に示した処理を実行する。
【００６８】
第２の時間が経過した場合（Ｓ２０２：Ｙｅｓ）、補正電圧出力部３５は、ＥＮＶ生成部１１から出力されたエンベロープ信号に基づいて逐次特定した増幅器１５への入力電力Ｐinが所定の閾値Ｐth1以上であるか否かを判定する（Ｓ２０３）。入力電力Ｐinが所定の閾値Ｐth1未満である場合（Ｓ２０３：Ｎｏ）、特定部３２は、送信停止期間が発生したか否かを判定する（Ｓ２０５）。
【００６９】
送信停止期間が発生した場合（Ｓ２０５：Ｙｅｓ）、特定部３２は、補正処理の実行を信号生成部３１、変動量測定部３３、および補正電圧出力部３５に指示する。信号生成部３１、変動量測定部３３、および補正電圧出力部３５は、ステップＳ２１０に示した処理を実行する。一方、送信停止期間が発生していない場合（Ｓ２０５：Ｎｏ）、補正電圧出力部３５は、再びステップＳ２０３に示した処理を実行する。
【００７０】
入力電力Ｐinが所定の閾値Ｐth1以上となった場合（Ｓ２０３：Ｙｅｓ）、補正電圧出力部３５は、記憶部３４内の第２のテーブル３４５を参照する。そして、補正電圧出力部３５は、ＥＮＶ生成部１１から出力されたエンベロープ信号に基づいて逐次特定した増幅器１５への入力電力Ｐinが含まれる電力の範囲に対応付けられている第２の補正値を特定する。そして、補正電圧出力部３５は、第２の補正値を用いて、増幅器１５の電源電圧を補正する（Ｓ２０４）。具体的には、補正電圧出力部３５は、第２の補正値に基づいて第１の補正値を補正し、補正後の値に対応する補正電圧を結合部３６へ出力する。結合部３６は、ＥＴ部１２から出力された電源電圧を、補正電圧出力部３５から出力された補正電圧で補正して増幅器１５の電源端子に供給する。
【００７１】
次に、補正電圧出力部３５は、第２の補正値を用いて増幅器１５の電源電圧を補正してから第３の時間が経過したか否かを判定する（Ｓ２０６）。第３の時間が経過した場合（Ｓ２０６：Ｙｅｓ）、補正電圧出力部３５は、第２の補正値を用いた増幅器１５の電源電圧の補正を停止し（Ｓ２０７）、再びステップＳ２０３に示した処理を実行する。
【００７２】
一方、第３の時間が経過していない場合（Ｓ２０６：Ｎｏ）、特定部３２は、送信停止期間が発生したか否かを判定する（Ｓ２０８）。送信停止期間が発生した場合（Ｓ２０８：Ｙｅｓ）、特定部３２は、補正処理の実行を信号生成部３１、変動量測定部３３、および補正電圧出力部３５に指示する。補正電圧出力部３５は、第２の補正値を用いた増幅器１５の電源電圧の補正を停止する（Ｓ２０９）。そして、信号生成部３１、変動量測定部３３、および補正電圧出力部３５は、ステップＳ２１０に示した処理を実行する。一方、送信停止期間が発生していない場合（Ｓ２０８：Ｎｏ）、補正電圧出力部３５は、再びステップＳ２０６に示した処理を実行する。
【００７３】
このように、無線装置１０は、運用中においても、補正テーブルを前回特定してから第１の時間が経過するたびに送信停止期間を特定し、特定した送信停止期間において補正テーブルを特定する処理を再度実行する。これにより、無線装置１０は、増幅器１５の温度変化や経時変化等に伴うＩdqドリフトの変化に追従して、増幅器１５のゲインの変動を抑制することができる。また、無線装置１０は、運用中において、補正テーブルを前回特定してから第２の時間が経過しても送信停止期間が発生しない場合に、増幅器１５への入力電力Ｐinに基づく第２の補正値により、増幅器１５の電源電圧をさらに補正する。これにより、無線装置１０は、送信停止期間が発生しない場合であっても、増幅器１５の温度変化や経時変化等に伴うＩdqドリフトの変化に追従して、無線装置１０のゲインの変動を抑制することができる。
【００７４】
＜実施例１の効果＞
上記説明から明らかなように、本実施例において、無線装置１０は、増幅器１５が送信信号を増幅していない期間に増幅器１５に入力される所定信号を生成する。また、無線装置１０は、増幅器１５によって所定信号が増幅された後の増幅器１５の出力信号に基づいて、増幅器１５のＩdqドリフトに伴う出力信号の変動量を測定する。また、無線装置１０は、増幅器１５に入力される送信信号の包絡線成分に基づいて制御される増幅器１５の電源電圧を、測定された変動量に基づいて補正する。これにより、無線装置１０は、増幅器のＩdqドリフトに伴う送信信号の歪を改善することができる。特に、無線装置１０は、増幅器１５が送信信号を増幅していない期間に、増幅器１５の電源電圧の補正を開始するため、増幅器１５が送信信号の増幅を開始した段階から、増幅器１５のＩdqドリフトに伴う送信信号の歪を改善することができる。
【００７５】
また、本実施例において、所定信号は、所定電力のインパルス信号である。また、本実施例の無線装置１０は、増幅器１５が送信信号を増幅していない期間において、増幅器１５がインパルス信号を増幅する前に増幅器１５から出力された信号の振幅と、増幅器１５がインパルス信号を増幅してから所定時間が経過した時点で増幅器１５から出力された信号の振幅との差分を、変動量として測定する。無線装置１０は、所定信号として、インパルス信号を用いることにより、変動量を測定する際に送信信号の帯域内に送信される信号の電力を低く抑えることができる。これにより、無線装置１０は、変動量を測定する際に送信信号の帯域内に送信される信号による他の無線装置の通信への影響を抑えることができる。
【００７６】
また、本実施例において、無線装置１０は、変動量毎に、増幅器１５に入力される送信信号の包絡線成分と第１の補正値とが対応付けられた補正テーブルを記憶する記憶部３４を有する。無線装置１０は、測定された変動量に対応する補正テーブルを記憶部３４内で特定し、特定した補正テーブルに基づいて、増幅器１５に入力される送信信号の包絡線成分に対応する第１の補正値を特定する。そして、無線装置１０は、特定した第１の補正値を用いて、増幅器１５に入力される送信信号の包絡線成分に基づいて制御される増幅器１５の電源電圧を補正する。これにより、無線装置１０は、増幅器１５に入力される送信信号の包絡線成分に基づいて制御される増幅器１５の電源電圧に対して高速な補正が可能となる。
【００７７】
また、本実施例において、無線装置１０は、補正テーブルを前回特定してから第１の時間が経過した後に、増幅器１５が送信信号を増幅していない期間である送信停止期間を特定する。そして、無線装置１０は、送信停止期間において、所定信号を生成し、増幅器１５によって所定信号が増幅された後の増幅器１５の出力信号に基づいて変動量を測定し、変動量に基づいて補正テーブルを特定する。これにより、無線装置１０は、運用開始後においても、増幅器１５の温度変化や経時変化等に伴うＩdqドリフトの変化に追従して、増幅器１５のゲインの変動を抑制することができる。
【００７８】
また、本実施例において、無線装置１０は、補正テーブルを前回特定してから第１の時間よりも長い第２の時間、送信停止期間が特定されなかった場合、増幅器１５に入力される送信信号の包絡線成分が所定の閾値以上となったか否かを判定する。そして、無線装置１０は、該包絡線成分が所定の閾値以上となった場合に、該包絡線成分に基づいて制御される増幅器１５の電源電圧を、第２の補正値を用いてさらに補正する。これにより、無線装置１０は、運用開始後に、補正テーブルを前回特定してから第２の時間が経過しても送信停止期間が発生しない場合であっても、無線装置１０のゲインの変動を抑制することができる。
【００７９】
また、本実施例において、第２の補正値は、増幅器１５に入力される送信信号の包絡線成分と、所定の閾値との差に応じた値である。これにより、無線装置１０は、増幅器１５に入力される送信信号の大きさに応じて、Ｉdqドリフトに伴う増幅器１５のゲインの変動を精度よく抑制することができる。
【実施例２】
【００８０】
実施例２における無線装置１０は、送信信号の周波数帯域外の漏洩電力の大きさに応じて、補正処理部３０の動作を制御する点が、実施例１における無線装置１０とは異なる。
【００８１】
図１４は、実施例２における無線装置１０の一例を示すブロック図である。無線装置１０は、ＥＮＶ生成部１１、ＥＴ部１２、ＤＡＣ１３、アップコンバータ１４、増幅器１５、カプラ１６、アンテナ１７、発振器１８、ダウンコンバータ１９、ＡＤＣ２０、制御部２１、漏洩電力測定部２２、補正処理部３０、および歪補償部４０を有する。なお、以下に説明する点を除き、図１４において、図１と同じ符号を付したブロックは、図１におけるブロックと同一または同様の機能を有するため説明を省略する。
【００８２】
漏洩電力測定部２２は、送信期間において、ＡＤＣ２０から出力された信号に基づいて、送信信号の周波数帯域外の漏洩電力を測定する。図１５は、漏洩電力測定部２２によって測定される帯域外の漏洩電力の一例を説明する図である。漏洩電力測定部２２は、例えば図１５に示すように、送信信号帯域外の信号の電力であって、送信信号帯域の近傍の周波数ｆ1の電力を、漏洩電力ＰACLRとして測定する。
【００８３】
制御部２１は、送信期間において、漏洩電力測定部２２によって測定された漏洩電力ＰACLRが所定の閾値Ｐtha以上であるか否かを判定する。漏洩電力ＰACLRが所定の閾値Ｐtha以上である場合、制御部２１は、補正処理部３０の動作を継続させる。一方、漏洩電力ＰACLRが所定の閾値Ｐtha未満である場合、制御部２１は、補正処理部３０の動作を停止させる。これにより、信号生成部３１、変動量測定部３３、補正電圧出力部３５、および結合部３６が停止する。なお、結合部３６が停止した場合、ＥＴ部１２によって制御された電源電圧は、補正されることなく増幅器１５の電源端子に供給される。
【００８４】
ここで、補正処理部３０は、ＥＴ部１２によって制御されている増幅器１５の電源電圧を、補正電圧により上昇させることで、Ｉdqドリフトにより低下した増幅器１５のゲインを上昇させる。これにより、Ｉdqドリフトに伴う増幅器１５のゲインの変動が抑制され、増幅器１５によって増幅された送信信号の歪が抑制される。しかし、増幅器１５の電源電圧を上昇させると、増幅器１５の効率が多少悪化する場合がある。そのため、送信信号の歪が少ない場合には、補正処理部３０の動作を停止させる。これにより、増幅器１５の電源電圧が、ＥＴ部１２の制御により調整されるため、増幅器１５の効率低下が抑制される。
【００８５】
＜運用中の無線装置１０の動作＞
図１６は、運用開始後における実施例２の無線装置１０の動作の一例を示すフローチャートである。なお、以下に説明する点を除き、図１６において、図１３と同じ符号を付した処理は、図１３における処理と同一または同様の処理であるため説明を省略する。また、運用開始前における実施例２の無線装置１０の動作は、図１２に示した実施例１の無線装置１０の動作と同様であるため、説明を省略する。
【００８６】
まず、漏洩電力測定部２２は、ＡＤＣ２０から出力された信号に基づいて、送信信号の周波数帯域外の漏洩電力ＰACLRを測定する（Ｓ２２０）。そして、制御部２１は、漏洩電力測定部２２によって測定された漏洩電力ＰACLRが所定の閾値Ｐtha以上であるか否かを判定する（Ｓ２２１）。
【００８７】
漏洩電力測定部２２によって測定された漏洩電力ＰACLRが所定の閾値Ｐtha未満である場合（Ｓ２２１：Ｎｏ）、制御部２１は、補正処理部３０を停止させ（Ｓ２２２）、漏洩電力測定部２２は、再びステップＳ２２０に示した処理を実行する。一方、漏洩電力測定部２２によって測定された漏洩電力ＰACLRが所定の閾値Ｐtha以上である場合（Ｓ２２１：Ｙｅｓ）、制御部２１は、補正処理部３０を起動し（Ｓ２２３）、特定部３２は、ステップＳ２００に示した処理を実行する。
【００８８】
上記説明から明らかなように、本実施例において、無線装置１０は、送信信号が増幅器１５によって増幅された信号において、送信信号の周波数帯域外の漏洩電力を測定する。そして、無線装置１０は、測定された漏洩電力が所定値以上である場合、信号生成部３１、変動量測定部３３、および補正電圧出力部３５を含む補正処理部３０を動作させる。一方、測定された漏洩電力が所定値未満である場合、補正処理部３０を停止させる。送信信号の歪が少ない場合に補正処理部３０の動作を停止させることにより、無線装置１０は、増幅器１５の効率低下を抑制することができる。
【００８９】
＜ハードウェア＞
図１７は、無線装置１０のハードウェアの一例を示す図である。無線装置１０は、例えば図１７に示すように、メモリ１００、プロセッサ１０１、無線回路１０２、およびアンテナ１７を有する。
【００９０】
無線回路１０２は、例えば、ＤＡＣ１３、アップコンバータ１４、増幅器１５、カプラ１６、アンテナ１７、発振器１８、ダウンコンバータ１９、およびＡＤＣ２０の機能を実現する。プロセッサ１０１は、例えば、ＥＮＶ生成部１１、ＥＴ部１２、補正処理部３０、および歪補償部４０の機能を実現する。メモリ１００には、プロセッサ１０１が、ＥＮＶ生成部１１、ＥＴ部１２、補正処理部３０、および歪補償部４０の機能を実現するためのプログラムなどの各種プログラムが格納される。そして、プロセッサ１０１は、メモリ１００から読み出したプログラムを実行し、無線回路１０２等と協働することにより無線装置１０の機能を実現する。
【００９１】
＜その他＞
なお、開示の技術は、上記した実施例に限定されるものではなく、その要旨の範囲内で数々の変形が可能である。
【００９２】
例えば、上記した実施例において、無線装置１０は、送信停止期間において、増幅器１５の出力信号に基づいて測定された変動量に基づいて増幅器１５の電源電圧を補正したが、開示の技術はこれに限られない。例えば、無線装置１０は、送信停止期間において、増幅器１５の出力信号に基づいて測定された変動量に基づいて増幅器１５のゲート電圧を補正してもよい。これにより、無線装置１０は、Ｉdqドリフトに伴う増幅器１５のゲインの変動を抑制することができる。
【符号の説明】
【００９３】
１０  無線装置
１１  ＥＮＶ生成部
１２  ＥＴ部
１３  ＤＡＣ
１４  アップコンバータ
１５  増幅器
１６  カプラ
１７  アンテナ
１８  発振器
１９  ダウンコンバータ
２０  ＡＤＣ
３０  補正処理部
３１  信号生成部
３２  特定部
３３  変動量測定部
３４  記憶部
３５  補正電圧出力部
３６  結合部
４０  歪補償部
４１  乗算器
４２  アドレス生成部
４３  ＬＵＴ
４４  更新部
４５  遅延部
４６  減算器
４７  遅延部
【図１】
2017123539.tif 000003
【図２】
2017123539.tif 000004
【図３】
2017123539.tif 000005
【図４】
2017123539.tif 000006
【図５】
2017123539.tif 000007
【図６】
2017123539.tif 000008
【図７】
2017123539.tif 000009
【図８】
2017123539.tif 000010
【図９】
2017123539.tif 000011
【図１０】
2017123539.tif 000012
【図１１】
2017123539.tif 000013
【図１２】
2017123539.tif 000014
【図１３】
2017123539.tif 000015
【図１４】
2017123539.tif 000016
【図１５】
2017123539.tif 000017
【図１６】
2017123539.tif 000018
【図１７】
2017123539.tif 000019